(57)【要約】【課題】簡素な構成でコストが安く、効率の良い親子計量を可能とし、作業効率を向上させる組み合わせ計量機を実現する。【解決手段】組み合わせ計量機において、該計量機は複数の計量皿が略直線的に配列された１又は２列の計量皿列を備える本体と、別体の１台或いは複数台の個別計量機からなり、該組み合わせ計量機及び個別計量機は通信手段を有し、該組み合わせ重量が規定重量以上であり且つ最小となる最適組み合わせを計算する際に、該該個別計量機の計量皿を主たる計量対象とし、複数の計量皿が略直線的に配列された１又は２列の計量皿列にある計量皿の組み合わせを、親皿の計量データを該通信手段を介して取得した上で小皿の計量データと統合計算し、選択された最適組み合わせの重量計測部位を指示するようにした。【選択図】図１
2018072178.tif 000002
【特許請求の範囲】
【請求項１】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機において、
該計量機は複数の計量皿が略直線的に配列された１又は２列の計量皿列を備える本体と、別体の１台或いは複数台の個別計量機からなり、
該組み合わせ計量機及び個別計量機は通信手段を有し、
該組み合わせ重量が規定重量以上であり且つ最小となる最適組み合わせを計算する際に、該個別計量機の計量皿を主たる計量対象（以下、親皿という）とし、複数の計量皿が略直線的に配列された１又は２列の計量皿列にある計量皿（以下、子皿という）の組み合わせを、親皿の計量データを該通信手段を介して取得した上で小皿の計量データと統合計算し、
選択された最適組み合わせの重量計測部位を指示することを特徴とする、
組み合わせ計量機。
【請求項２】
該別体の１台或いは複数台の個別計量機は、
該本体の１又は２列の計量皿列にある計量皿の計量範囲に対して相対的に大きな重量に対応することを特徴とする、
請求項１記載の組み合わせ計量機。
【請求項３】
該組み合わせ計量機及び個別計量機の通信手段は、
有線通信或いは無線通信であることを特徴とする、
請求項１又は２記載の組み合わせ計量機。
【請求項４】
該組み合わせ計量機及び個別計量機の通信手段は、
ブルートゥースであることを特徴とする、
請求項３記載の組み合わせ計量機。
【請求項５】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機において、
該計量機は複数の計量皿が略直線的に配列された１又は２列の計量皿列を備える本体と、別体の１台或いは複数台の個別計量機からなり、
該組み合わせ計量機及び個別計量機は通信手段を有し、
該組み合わせ重量が規定重量以上であり且つ最小となる最適組み合わせを計算する際に、該該個別計量機の計量皿を主たる計量対象（以下、親皿という）とし、複数の計量皿が略直線的に配列された１又は２列の計量皿列にある計量皿（以下、子皿という）の組み合わせを、親皿の計量データを該通信手段を介して取得した上で小皿の計量データと統合計算し、
選択された最適組み合わせの重量計測部位を指示することを特徴とする組み合わせ計量機に於いて、
個別計量機が複数備えられ、組み合わせ計量機における１列或いは２列の各列内の子皿と各個別計量機の間に於いて選択された最適組み合わせの重量計測部位を指示することを特徴とする、
請求項１乃至４記載の組み合わせ計量機。
【請求項６】
該最適組み合わせの計算は、
各個別計量機と各列の子皿内での組み合わせに対してそれぞれ行われ、適合する組み合わせが複数ある場合にはその合計重量が最も少ない組み合わせを選択指示することを特徴とする、
請求項５記載の組み合わせ計量機。
【請求項７】
該個別計量機が複数備えられ、該組み合わせ計量機には２列の子皿列が備えられ、
該最適組み合わせの計算は、各個別計量機と各列の子皿内での組み合わせに対してそれぞれ行われ、
適合する組み合わせが各個別計量機のうちいずれか２機と、該組み合わせ計量機の２列の子皿列のそれぞれが異なった最適組み合わせが計算された場合、
それらの組み合わせを弁別できるような形でいずれもを選択指示することを特徴とする、
請求項５記載の組み合わせ計量機。
【請求項８】
該組み合わせ計量機において、
該選択された最適組み合わせ或いは近似値の範囲に包含される重量組み合わせの重量計測部位を示す指示機構が多色に点灯する着色灯火であって、
個別計量機が複数備えられ、組み合わせ計量機には２列の子皿列が備えられ、
該最適組み合わせの計算は、各個別計量機と各列の子皿内での組み合わせに対してそれぞれ行われ、
適合する組み合わせが各個別計量機のうちいずれか２機と、該組み合わせ計量機の２列の子皿列のそれぞれが異なった最適組み合わせが計算された場合、
それらの組み合わせを灯火の色で選択指示することを特徴とする、
請求項７記載の組み合わせ計量機。
【請求項９】
該組み合わせ計量機の子皿なる計量皿は、
樹脂製であることを特徴とする、
請求項１乃至８の何れか一に記載の組み合わせ計量機。
【請求項１０】
該組み合わせ計量機の子皿なる計量皿は、
二列に配置されてなり、
且つ、その配置が交互になるようにずらして配置されることを特徴とする、
請求項１乃至９の何れか一に記載の組み合わせ計量機。
【請求項１１】
該組み合わせ計量機の子皿なる計量皿は、
一列に配置されてなり、
且つ、各列の計量皿の両側に指示機構が備えられ、
各計量皿に関する指示が両側に対して同時に行われることを特徴とする、
請求項１乃至１０の何れか一に記載の組み合わせ計量機。
【請求項１２】
該計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項１１記載の組み合わせ計量機。
【請求項１３】
該子皿なる計量皿は、
一部あるいは全体が透光性の部材で形成され、
該透光性の部材の部位から該選択された最適組み合わせの重量計測部位を示す指示機構の指示を視認しうることを特徴とする、
請求項１乃至１２のいずれか一に記載の組み合わせ計量機。
【請求項１４】
該組み合わせ計量機は、
重量計測部位における測定重量データを取得し、該重量が規定重量以上であり且つ許容範囲内であることを計算する手段と、
該重量が前記範囲内であることを示す指示機構を有し、
該計量部は夫々計量皿部とロードセルによる計量部を含む本体部の連結部に防水構造を備えてなり、
該連結部の防水構造は合成樹脂薄膜を備え、
該合成樹脂薄膜は本体の計量皿側表面に接着剤で接着固定され、
該合成樹脂薄膜の粘弾性により計量に影響を与えることなく防水機能を備えることを特徴とする、
請求項１乃至１３のいずれか一に記載の組み合わせ計量機。
【請求項１５】
該組み合わせ計量機において、
該選択された最適組み合わせ或いは近似値の範囲に包含される重量組み合わせの重量計測部位を示す指示機構が灯火によるものであって、
該選択された最適組み合わせの重量計測部位を示す場合は指示機構の灯火が連続点灯し、
該近似値の範囲に包含される重量組み合わせの重量計測部位を示す場合は指示機構の灯火が点滅することを特徴とする、
請求項１乃至１４のいずれか一に記載の組み合わせ計量機。
【請求項１６】
該組み合わせ計量機において、
該選択された最適組み合わせ或いは近似値の範囲に包含される重量組み合わせの重量計測部位を示す指示機構が多色に点灯する着色灯火であって、
該選択された最適組み合わせの重量計測部位を示す場合の指示機構の点灯色と、
該近似値の範囲に包含される重量組み合わせの重量計測部位を示す場合の指示機構の点灯色が異なることを特徴とする、
請求項１５記載の組み合わせ計量機。
【請求項１７】
該組み合わせ計量機において、
該指示機構の灯火は、
ＬＥＤによることを特徴とする、
請求項１乃至１６に記載の組み合わせ計量機。
【請求項１８】
該組み合わせ計量機において、
規定重量範囲内の最適組み合わせが存在しない場合であって近似値の範囲に包含される重量組み合わせに係る組み合わせ重量を表示する表示機構は、
デジタル表示装置であることを特徴とする、
請求項１乃至１７の何れか一に記載の組み合わせ計量機。
【請求項１９】
該重量計測部位に用いる計量皿は、サイズの異なる計量皿に交換して用いる事ができることを特徴とする、
請求項１乃至１８のうちのいずれか一に記載の防水機構を有する組み合わせ計量機。
【請求項２０】
該重量計測部位に用いる計量皿は、形状の異なる計量皿に交換して用いる事ができることを特徴とする、
請求項１乃至１９のうちのいずれか一に記載の組み合わせ計量機。
【請求項２１】
該組み合わせ計量機が備える通信手段は、
さらにインターネット或いは携帯電話ネットワークを介してホスト側と情報通信を行うことを特徴とする、
請求項１乃至２０のうちのいずれか一に記載の組み合わせ計量機。
【請求項２２】
該ホスト側と情報通信される情報は、
使用度数計測機能を含むことを特徴とする、
請求項２１記載の組み合わせ計量機。
【請求項２３】
該ホスト側と情報通信される情報は、
使用度数計測機能を含み、
ホスト側に於いて該使用度数情報に応じて課金情報を生成することができることを特徴とする、
請求項２２記載の組み合わせ計量機。
【請求項２４】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機において、
該計量機は複数の計量皿が略直線的に配列された１又は２列の計量皿列を備える本体と、別体の１台或いは複数台の個別計量機からなり、
該組み合わせ計量機及び個別計量機は通信手段を有し、
該組み合わせ重量が規定重量以上であり且つ最小となる最適組み合わせを計算する際に、該個別計量機の計量皿を主たる計量対象（以下、親皿という）とし、複数の計量皿が略直線的に配列された１又は２列の計量皿列にある計量皿（以下、子皿という）の組み合わせを、親皿の計量データを該通信手段を介して取得した上で小皿の計量データと統合計算し、
選択された最適組み合わせの重量計測部位を指示機構により確認し、
指示された最適組み合わせの重量計測部位から対象物品を作業者がピックアップすることを特徴とする、
組み合わせ計量機の使用方法。
【請求項２５】
該別体の１台或いは複数台の個別計量機は、
該本体の１又は２列の計量皿列にある計量皿の計量範囲に対して相対的に大きな重量に対応することを特徴とする、
請求項２４記載の組み合わせ計量機の使用方法。
【請求項２６】
該組み合わせ計量機及び個別計量機の通信手段は、
有線通信或いは無線通信であることを特徴とする、
請求項２４又は２５記載の組み合わせ計量機の使用方法。
【請求項２７】
該組み合わせ計量機及び個別計量機の通信手段は、
ブルートゥース（登録商標）であることを特徴とする、
請求項２６記載の組み合わせ計量機の使用方法。
【請求項２８】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機において、
該計量機は複数の計量皿が略直線的に配列された１又は２列の計量皿列を備える本体と、別体の１台或いは複数台の個別計量機からなり、
該組み合わせ計量機及び個別計量機は通信手段を有し、
該組み合わせ重量が規定重量以上であり且つ最小となる最適組み合わせを計算する際に、該該個別計量機の計量皿を主たる計量対象（以下、親皿という）とし、複数の計量皿が略直線的に配列された１又は２列の計量皿列にある計量皿（以下、子皿という）の組み合わせを、親皿の計量データを該通信手段を介して取得した上で小皿の計量データと統合計算し、
選択された最適組み合わせの重量計測部位を指示することを特徴とする組み合わせ計量機に於いて、
個別計量機が複数備えられ、組み合わせ計量機における１列或いは２列の各列内の子皿と各個別計量機の間に於いて選択された最適組み合わせの重量計測部位を指示することを特徴とする、
請求項２４乃至２７記載の組み合わせ計量機の使用方法。
【請求項２９】
該最適組み合わせの計算は、
各個別計量機と各列の子皿内での組み合わせに対してそれぞれ行われ、適合する組み合わせが複数ある場合にはその合計重量が最も少ない組み合わせを選択指示することを特徴とする、
請求項２８記載の組み合わせ計量機の使用方法。
【請求項３０】
個別計量機が複数備えられ、組み合わせ計量機には２列の子皿列が備えられ、
該最適組み合わせの計算は、各個別計量機と各列の子皿内での組み合わせに対してそれぞれ行われ、
適合する組み合わせが各個別計量機のうちいずれか２機と、該組み合わせ計量機の２列の子皿列のそれぞれが異なった最適組み合わせが計算された場合、
それらの組み合わせを弁別できるような形でいずれもを選択指示することを特徴とする、
請求項２８記載の組み合わせ計量機の使用方法。
【請求項３１】
該組み合わせ計量機において、
該選択された最適組み合わせ或いは近似値の範囲に包含される重量組み合わせの重量計測部位を示す指示機構が多色に点灯する着色灯火であって、
個別計量機が複数備えられ、組み合わせ計量機には２列の子皿列が備えられ、
該最適組み合わせの計算は、各個別計量機と各列の子皿内での組み合わせに対してそれぞれ行われ、
適合する組み合わせが各個別計量機のうちいずれか２機と、該組み合わせ計量機の２列の子皿列のそれぞれが異なった最適組み合わせが計算された場合、
それらの組み合わせを灯火の色で選択指示することを特徴とする、
請求項３０記載の組み合わせ計量機の使用方法。
【請求項３２】
該組み合わせ計量機の子皿なる計量皿は、
樹脂製であることを特徴とする、
請求項２４乃至３１の何れか一に記載の組み合わせ計量機の使用方法。
【請求項３３】
該組み合わせ計量機の子皿なる計量皿は、
二列に配置されてなり、
且つ、その配置が交互になるようにずらして配置されることを特徴とする、
請求項２４乃至３２の何れか一に記載の組み合わせ計量機の使用方法。
【請求項３４】
該組み合わせ計量機の子皿なる計量皿は、
一列に配置されてなり、
且つ、各列の計量皿の両側に指示機構が備えられ、
各計量皿に関する指示が両側に対して同時に行われることを特徴とする、
請求項２４乃至３３の何れか一に記載の組み合わせ計量機の使用方法。
【請求項３５】
該計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項３４記載の組み合わせ計量機の使用方法。
【請求項３６】
該子皿なる計量皿は、
一部あるいは全体が透光性の部材で形成され、
該透光性の部材の部位から該選択された最適組み合わせの重量計測部位を示す指示機構の指示を視認しうることを特徴とする、
請求項２４乃至３５のいずれか一に記載の組み合わせ計量機の使用方法。
【請求項３７】
該組み合わせ計量機は、
重量計測部位における測定重量データを取得し、該重量が規定重量以上であり且つ許容範囲内であることを計算する手段と、
該重量が前記範囲内であることを示す指示機構を有し、
該計量部は夫々計量皿部とロードセルによる計量部を含む本体部の連結部に防水構造を備えてなり、
該連結部の防水構造は合成樹脂薄膜を備え、
該合成樹脂薄膜は本体の計量皿側表面に接着剤で接着固定され、
該合成樹脂薄膜の粘弾性により計量に影響を与えることなく防水機能を備えることを特徴とする、
請求項２４乃至３６のいずれか一に記載の組み合わせ計量機の使用方法。
【請求項３８】
該組み合わせ計量機において、
該選択された最適組み合わせ或いは近似値の範囲に包含される重量組み合わせの重量計測部位を示す指示機構が灯火によるものであって、
該選択された最適組み合わせの重量計測部位を示す場合は指示機構の灯火が連続点灯し、
該近似値の範囲に包含される重量組み合わせの重量計測部位を示す場合は指示機構の灯火が点滅することを特徴とする、
請求項２４乃至３７のいずれか一に記載の組み合わせ計量機の使用方法。
【請求項３９】
該組み合わせ計量機において、
該選択された最適組み合わせ或いは近似値の範囲に包含される重量組み合わせの重量計測部位を示す指示機構が多色に点灯する着色灯火であって、
該選択された最適組み合わせの重量計測部位を示す場合の指示機構の点灯色と、
該近似値の範囲に包含される重量組み合わせの重量計測部位を示す場合の指示機構の点灯色が異なることを特徴とする、
請求項３８記載の組み合わせ計量機の使用方法。
【請求項４０】
該組み合わせ計量機において、
該指示機構の灯火は、
ＬＥＤによることを特徴とする、
請求項２４乃至３９に記載の組み合わせ計量機の使用方法。
【請求項４１】
該組み合わせ計量機において、
規定重量範囲内の最適組み合わせが存在しない場合であって近似値の範囲に包含される重量組み合わせに係る組み合わせ重量を表示する表示機構は、
デジタル表示装置であることを特徴とする、
請求項２４乃至４０の何れか一に記載の組み合わせ計量機の使用方法。
【請求項４２】
該重量計測部位に用いる計量皿は、サイズの異なる計量皿に交換して用いる事ができることを特徴とする、
請求項２４乃至４１のうちのいずれか一に記載の防水機構を有する組み合わせ計量機。
【請求項４３】
該重量計測部位に用いる計量皿は、形状の異なる計量皿に交換して用いる事ができることを特徴とする、
請求項２４乃至４２のうちのいずれか一に記載の組み合わせ計量機の使用方法。
【請求項４４】
該組み合わせ計量機が備える通信手段は、
さらにインターネット或いは携帯電話ネットワークを介してホスト側と情報通信を行うことを特徴とする、
請求項２４乃至４３のうちのいずれか一に記載の組み合わせ計量機の使用方法。
【請求項４５】
該ホスト側と情報通信される情報は、
使用度数計測機能を含むことを特徴とする、
請求項４４記載の組み合わせ計量機。
【請求項４６】
該ホスト側と情報通信される情報は、
使用度数計測機能を含み、
ホスト側に於いて該使用度数情報に応じて課金情報を生成することができることを特徴とする、
請求項４５記載の組み合わせ計量機の使用方法。
【発明の詳細な説明】
【技術分野】
【０００１】
本発明は、野菜等を規定の重量以上且つ最小となる組み合わせを秤量するための組み合わせ計量機に関するものである。
【背景技術】
【０００２】
食品等の販売にあたっては、内容量を秤量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目で袋詰めして販売されることが主流であり、規定の量目を下回らず且つ最小となる組み合わせを秤量することが求められる。
【０００４】
そこで、量産ベースの食品工場や大規模な出荷センターなどでは対象となる商品を自動搬送し、組み合わせ計量機に載置、規定の重量以上且つ最小となる組み合わせを秤量して、これをホッパ等で選択的に排出して袋詰め等の包装まで行う自動機を導入し使用している例が多い。
【０００５】
しかし、個別の農家や小規模の出荷組合等に於いては大規模で高価な自動機の組み合わせ計量機を導入する余裕はなく、手作業による秤量選別が行われているのが実情である。
【先行技術文献】
【特許文献】
【０００６】
【特許文献１】特開平８ー３１３３３３号公報
【特許文献２】特開２００２ー１６６２３２号公報
【特許文献３】特開２００８ー２９２１９４号公報
【発明の概要】
【発明が解決しようとする課題】
【０００７】
個別の農家や小規模の出荷組合等に於ける作業には、手作業を効率化するための機器が求められているが、前記のような自動機はそのコストが非常に高く、導入することは困難である。また、個別の農家や小規模の出荷組合等では頻繁な対象商品の切り替えが必要でその段取り変更は自動機では却って煩雑となる。
【０００８】
これらの課題を解決するため、簡素な構成でコストが安く、各種の野菜等の商品に簡単な段取り変更で対応可能であるとともに、効率の良い作業が可能な組み合わせ計量機を実現することが急務となっている。
【０００９】
ここで、特にミニトマト等の一包の個数が多くなる野菜等においては、秤量に近いと考えられ且つ明らかにオーバーしない範囲で載置した秤量皿（親皿）と、少量を載置した秤量皿（子皿）の組み合わせで秤量するのが効率的である。
【００１０】
また、このような構成であれば、親皿と子皿は一列の配置であっても効率的に作業することが可能であり、二列の配置の場合には両側で別個に作業することができればさらに効率が向上する。さらに、親皿と子皿が別個の計量機として分離して配置され、親皿に対応する計量機はその対応荷重が子皿よりも大きいものを用いる及び／又はその秤量皿のサイズが子皿よりも大きいものを用いることでさらに効率の向上が図れる。
【００１１】
このように、組み合わせ計量機としては簡素な構成でコストが安く、親子計量を可能とし、作業効率を向上させるものが求められている。
【課題を解決するための手段】
【００１２】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量機は複数の計量皿が略直線的に配列された１又は２列の計量皿列を備える本体と、別体の１台或いは複数台の個別計量機からなり、該組み合わせ計量機及び個別計量機は通信手段を有し、該組み合わせ重量が規定重量以上であり且つ最小となる最適組み合わせを計算する際に、該個別計量機の計量皿を主たる計量対象（以下、親皿という）とし、複数の計量皿が略直線的に配列された１又は２列の計量皿列にある計量皿（以下、子皿という）の組み合わせを、親皿の計量データを該通信手段を介して取得した上で小皿の計量データと統合計算し、選択された最適組み合わせの重量計測部位を指示することを特徴とする、組み合わせ計量機及び組み合わせ計量機の使用方法である。
【００１３】
また本発明は、該別体の１台或いは複数台の個別計量機が、該本体の１又は２列の計量皿列にある計量皿の計量範囲に対して相対的に大きな重量に対応することを特徴とする。
【００１４】
また本発明は、該組み合わせ計量機及び個別計量機の通信手段が、有線通信或いは無線通信であることを特徴とする。さらに本発明は、該組み合わせ計量機及び個別計量機の通信手段が、ブルートゥース（登録商標）であることを特徴とする。
【００１５】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量機は複数の計量皿が略直線的に配列された１又は２列の計量皿列を備える本体と、別体の１台或いは複数台の個別計量機からなり、該組み合わせ計量機及び個別計量機は通信手段を有し、該組み合わせ重量が規定重量以上であり且つ最小となる最適組み合わせを計算する際に、該個別計量機の計量皿を主たる計量対象（以下、親皿という）とし、複数の計量皿が略直線的に配列された１又は２列の計量皿列にある計量皿（以下、子皿という）の組み合わせを、親皿の計量データを該通信手段を介して取得した上で小皿の計量データと統合計算し、選択された最適組み合わせの重量計測部位を指示することを特徴とする組み合わせ計量機に於いて、個別計量機が複数備えられ、組み合わせ計量機における１列或いは２列の各列内の子皿と各個別計量機の間に於いて選択された最適組み合わせの重量計測部位を指示することを特徴とする、請求項１乃至４記載の組み合わせ計量機である。
【００１６】
また本発明は、該最適組み合わせの計算が、各個別計量機と各列の子皿内での組み合わせに対してそれぞれ行われ、適合する組み合わせが複数ある場合にはその合計重量が最も少ない組み合わせを選択指示することを特徴とする。
【００１７】
また本発明は、該個別計量機が複数備えられ、該組み合わせ計量機には２列の子皿列が備えられ、該最適組み合わせの計算は、各個別計量機と各列の子皿内での組み合わせに対してそれぞれ行われ、適合する組み合わせが各個別計量機のうちいずれか２機と、該組み合わせ計量機の２列の子皿列のそれぞれが異なった最適組み合わせが計算された場合、それらの組み合わせを弁別できるような形でいずれもを選択指示することを特徴とする。
【００１８】
また本発明は、該組み合わせ計量機において、該選択された最適組み合わせ或いは近似値の範囲に包含される重量組み合わせの重量計測部位を示す指示機構が多色に点灯する着色灯火であって、個別計量機が複数備えられ、組み合わせ計量機には２列の子皿列が備えられ、該最適組み合わせの計算は、各個別計量機と各列の子皿内での組み合わせに対してそれぞれ行われ、適合する組み合わせが各個別計量機のうちいずれか２機と、該組み合わせ計量機の２列の子皿列のそれぞれが異なった最適組み合わせが計算された場合、それらの組み合わせを灯火の色で選択指示することを特徴とする。
【００１９】
また本発明は、該組み合わせ計量機の子皿なる計量皿が樹脂製であることを特徴とする。ここで、該計量皿は、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されることが望ましい。
【００２０】
また本発明は、該組み合わせ計量機の子皿なる計量皿が、二列に配置されてなり、且つ、その配置が交互になるようにずらして配置されることを特徴とする。
【００２１】
また本発明は、該組み合わせ計量機の子皿なる計量皿が、一列に配置されてなり、且つ、各列の計量皿の両側に指示機構が備えられ、各計量皿に関する指示が両側に対して同時に行われることを特徴とする。
【００２２】
また本発明は、該子皿なる計量皿が、一部あるいは全体が透光性の部材で形成され、該透光性の部材の部位から該選択された最適組み合わせの重量計測部位を示す指示機構の指示を視認しうることを特徴とする。
【００２３】
また本発明は、該組み合わせ計量機が、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする。
【００２４】
また本発明は、該組み合わせ計量機において、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することを特徴とする。
【００２５】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。
【００２６】
また本発明は、該組み合わせ計量機において、該指示機構の灯火はＬＥＤによることを特徴とする。
【００２７】
また本発明は、該組み合わせ計量機において、規定重量範囲内の最適組み合わせが存在しない場合であって近似値の範囲に包含される重量組み合わせに係る組み合わせ重量を表示する表示機構は、デジタル表示装置であることを特徴とする。
【００２８】
また本発明は、該重量計測部位に用いる計量皿が、サイズの異なる計量皿に交換して用いる事ができることを特徴とする。
【００２９】
また本発明は、該重量計測部位に用いる計量皿が、形状の異なる計量皿に交換して用いる事ができることを特徴とする。
【００３０】
また本発明は、該組み合わせ計量機が備える通信手段として、さらにインターネット或いは携帯電話ネットワークを介してホスト側と情報通信を行うことを特徴とする。
【００３１】
また本発明は、該ホスト側と情報通信される情報に、使用度数計測機能を含むことを特徴とする。さらに本発明は、該ホスト側と情報通信される情報に使用度数計測機能を含み、ホスト側に於いて該使用度数情報に応じて課金情報を生成することができることを特徴とする。
【発明の効果】
【００３２】
本発明に係る組み合わせ計量機は、簡素な構成でコストが安く、効率の良い親子計量を可能とし、作業効率を向上させる組み合わせ計量機を実現し、もって社会に資することが出来る。
【図面の簡単な説明】
【００３３】
【図１】図１は、本発明に係る組み合わせ計量機の形態を示す概念図である。
【発明を実施するための形態】
【００３４】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量機は複数の計量皿が略直線的に配列された１又は２列の計量皿列を備える本体と、別体の１台或いは複数台の個別計量機からなり、該組み合わせ計量機及び個別計量機は通信手段を有し、該組み合わせ重量が規定重量以上であり且つ最小となる最適組み合わせを計算する際に、該個別計量機の計量皿を主たる計量対象（以下、親皿という）とし、複数の計量皿が略直線的に配列された１又は２列の計量皿列にある計量皿（以下、子皿という）の組み合わせを、親皿の計量データを該通信手段を介して取得した上で小皿の計量データと統合計算し、選択された最適組み合わせの重量計測部位を指示することを特徴とする、組み合わせ計量機及び組み合わせ計量機の使用方法である。
【００３５】
また本発明は、該別体の１台或いは複数台の個別計量機が、該本体の１又は２列の計量皿列にある計量皿の計量範囲に対して相対的に大きな重量に対応することを特徴とする。
【００３６】
また本発明は、該組み合わせ計量機及び個別計量機の通信手段が、有線通信或いは無線通信であることを特徴とする。さらに本発明は、該組み合わせ計量機及び個別計量機の通信手段が、ブルートゥースであることを特徴とする。
【００３７】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量機は複数の計量皿が略直線的に配列された１又は２列の計量皿列を備える本体と、別体の１台或いは複数台の個別計量機からなり、該組み合わせ計量機及び個別計量機は通信手段を有し、該組み合わせ重量が規定重量以上であり且つ最小となる最適組み合わせを計算する際に、該個別計量機の計量皿を主たる計量対象（以下、親皿という）とし、複数の計量皿が略直線的に配列された１又は２列の計量皿列にある計量皿（以下、子皿という）の組み合わせを、親皿の計量データを該通信手段を介して取得した上で小皿の計量データと統合計算し、選択された最適組み合わせの重量計測部位を指示することを特徴とする組み合わせ計量機に於いて、個別計量機が複数備えられ、組み合わせ計量機における１列或いは２列の各列内の子皿と各個別計量機の間に於いて選択された最適組み合わせの重量計測部位を指示することを特徴とする、請求項１乃至４記載の組み合わせ計量機である。
【００３８】
また本発明は、該最適組み合わせの計算が、各個別計量機と各列の子皿内での組み合わせに対してそれぞれ行われ、適合する組み合わせが複数ある場合にはその合計重量が最も少ない組み合わせを選択指示することを特徴とする。
【００３９】
また本発明は、該個別計量機が複数備えられ、該組み合わせ計量機には２列の子皿列が備えられ、該最適組み合わせの計算は、各個別計量機と各列の子皿内での組み合わせに対してそれぞれ行われ、適合する組み合わせが各個別計量機のうちいずれか２機と、該組み合わせ計量機の２列の子皿列のそれぞれが異なった最適組み合わせが計算された場合、それらの組み合わせを弁別できるような形でいずれもを選択指示することを特徴とする。
【００４０】
また本発明は、該組み合わせ計量機において、該選択された最適組み合わせ或いは近似値の範囲に包含される重量組み合わせの重量計測部位を示す指示機構が多色に点灯する着色灯火であって、個別計量機が複数備えられ、組み合わせ計量機には２列の子皿列が備えられ、該最適組み合わせの計算は、各個別計量機と各列の子皿内での組み合わせに対してそれぞれ行われ、適合する組み合わせが各個別計量機のうちいずれか２機と、該組み合わせ計量機の２列の子皿列のそれぞれが異なった最適組み合わせが計算された場合、それらの組み合わせを灯火の色で選択指示することを特徴とする。
【００４１】
また本発明は、該組み合わせ計量機の子皿なる計量皿が樹脂製であることを特徴とする。ここで、該計量皿は、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されることが望ましい。
【００４２】
また本発明は、該組み合わせ計量機の子皿なる計量皿が、二列に配置されてなり、且つ、その配置が交互になるようにずらして配置されることを特徴とする。
【００４３】
また本発明は、該組み合わせ計量機の子皿なる計量皿が、一列に配置されてなり、且つ、各列の計量皿の両側に指示機構が備えられ、各計量皿に関する指示が両側に対して同時に行われることを特徴とする。
【００４４】
また本発明は、該子皿なる計量皿が、一部あるいは全体が透光性の部材で形成され、該透光性の部材の部位から該選択された最適組み合わせの重量計測部位を示す指示機構の指示を視認しうることを特徴とする。
【００４５】
また本発明は、該組み合わせ計量機が、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする。
【００４６】
また本発明は、該組み合わせ計量機において、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することを特徴とする。
【００４７】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。
【００４８】
また本発明は、該組み合わせ計量機において、該指示機構の灯火はＬＥＤによることを特徴とする。
【００４９】
また本発明は、該組み合わせ計量機において、規定重量範囲内の最適組み合わせが存在しない場合であって近似値の範囲に包含される重量組み合わせに係る組み合わせ重量を表示する表示機構は、デジタル表示装置であることを特徴とする。
【００５０】
また本発明は、該重量計測部位に用いる計量皿が、サイズの異なる計量皿に交換して用いる事ができることを特徴とする。
【００５１】
また本発明は、該重量計測部位に用いる計量皿が、形状の異なる計量皿に交換して用いる事ができることを特徴とする。
【００５２】
また本発明は、該組み合わせ計量機が備える通信手段として、さらにインターネット或いは携帯電話ネットワークを介してホスト側と情報通信を行うことを特徴とする。
【００５３】
また本発明は、該ホスト側と情報通信される情報に、使用度数計測機能を含むことを特徴とする。さらに本発明は、該ホスト側と情報通信される情報に使用度数計測機能を含み、ホスト側に於いて該使用度数情報に応じて課金情報を生成することができることを特徴とする。
【００５４】
以下、本発明の実施例を図面を用いて説明する。
【実施例】
【００５５】
図１は、本発明に係る組み合わせ計量機の形態を示す概念図である。本実施例に於いては、組み合わせ計量機本体１と別体の２台の個別計量機２が備えられ、組み合わせ計量機本体１と個別計量機２は無線による通信手段により連結されている。組み合わせ計量機本体１中の矩形部分がそれぞれの計量皿であり、ここと個別計量機２とに秤量対象の野菜などを載置し、規定の重量以上且つ最小となる組み合わせを秤量、表示し、その表示に従って作業者がピックアップして袋詰め等の梱包を行う。本発明に於いては、該個別計量機の計量皿を主たる計量対象（以下、親皿という）とし、複数の計量皿が略直線的に配列された１又は２列の計量皿列にある計量皿（以下、子皿という）の組み合わせを、親皿の計量データを該通信手段を介して取得した上で小皿の計量データと統合計算し、選択された最適組み合わせの重量計測部位を指示するようにした。
【００５６】
ここで、個別計量機２は、該本体の計量皿列にある計量皿の計量範囲に対して相対的に大きな重量に対応するようにした。これにより、個別計量機を親皿として規定重量に近い量の対象物品を載置し、本体の子皿には少量の対象物品を載置することで効率よく親子計量を行うことが可能となった。
【００５７】
本実施例に於いては、通信手段は無線通信であり、具体的にはブルートゥースを用いたが、かかる通信手段は他の方法でもよく、有線通信であっても問題ない。
【００５８】
本実施例に於いては、個別計量機は２機備えるようにしたが、当然に個別計量機は１台であってもよく、また３台以上であっても良い。また、本実施例に於いては本体計量機は２列の子皿を備えたものを用いたが、これは１列であっても問題ない。
【００５９】
本実施例に於いては、最適組み合わせの計算が、各個別計量機と各列の子皿内での組み合わせに対してそれぞれ行われ、適合する組み合わせが複数ある場合にはその合計重量が最も少ない組み合わせを選択指示するようにした。ここで、個別計量機が複数備えられ、該組み合わせ計量機には２列の子皿列が備えられ、該最適組み合わせの計算は、各個別計量機と各列の子皿内での組み合わせに対してそれぞれ行われ、適合する組み合わせが各個別計量機のうちいずれか２機と、該組み合わせ計量機の２列の子皿列のそれぞれが異なった最適組み合わせが計算された場合、それらの組み合わせを弁別できるような形でいずれもを選択指示することも可能である。
【００６０】
本実施例に於いては、該組み合わせ計量機において、該選択された最適組み合わせ或いは近似値の範囲に包含される重量組み合わせの重量計測部位を示す指示機構が多色に点灯する着色灯火であって、個別計量機が複数備えられ、組み合わせ計量機には２列の子皿列が備えられ、該最適組み合わせの計算は、各個別計量機と各列の子皿内での組み合わせに対してそれぞれ行われ、適合する組み合わせが各個別計量機のうちいずれか２機と、該組み合わせ計量機の２列の子皿列のそれぞれが異なった最適組み合わせが計算された場合、それらの組み合わせを灯火の色で選択指示するようにした。
【００６１】
ここで、選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することも有効である。
【００６２】
本実施例に於いては、指示機構の灯火はＬＥＤによるものを用い、多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なるようにした。ここで、規定重量範囲内の最適組み合わせが存在しない場合であって近似値の範囲に包含される重量組み合わせに係る組み合わせ重量を表示する表示機構は、デジタル表示装置としてもよい。
【００６３】
本実施例に於いては、組み合わせ計量機の子皿なる計量皿は樹脂製のものを用いた。ここで、該計量皿は、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されることが望ましい。
【００６４】
本実施例に於いては、組み合わせ計量機の子皿なる計量皿が二列に配置されたものを用いたが、葉物などに対応する場合はその配置が交互になるようにずらして配置することも有効である。また、子皿なる計量皿が、一列に配置されてなり、且つ、各列の計量皿の両側に指示機構が備えられ、各計量皿に関する指示が両側に対して同時に行われるようにすることも作業効率向上に有効である。
【００６５】
また、子皿なる計量皿が、一部あるいは全体が透光性の部材で形成され、該透光性の部材の部位から該選択された最適組み合わせの重量計測部位を示す指示機構の指示を視認しうるようにすることも有効である。
【００６６】
本実施例に於いては、計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えるようにした。これにより、水洗後の野菜等に対しても信頼性の高い秤量が可能となった。
【００６７】
また、重量計測部位に用いる計量皿が、サイズの異なる計量皿或いは形状の異なる計量皿に交換して用いる事ができる。これにより、対応する野菜等の品種に多様に対応することができる。
【００６８】
さらに、組み合わせ計量機が備える通信手段として、さらにインターネット或いは携帯電話ネットワークを介してホスト側と情報通信を行うようにすることも有効である。ホスト側と情報通信される情報に使用度数計測機能を含み、ホスト側に於いて使用度数情報に応じて課金情報を生成することができるようにすることにより、レンタルでの使用等に於いても利便性を向上することができた。
【産業上の利用可能性】
【００６９】
本発明に係る組み合わせ計量機は、簡素な構成でコストが安く、効率の良い親子計量を可能とし、作業効率を向上させる組み合わせ計量機を実現するものであり、個別の農家や小規模の出荷組合等に於いても導入可能であり、もって産業の発展に寄与するものである。
【符号の説明】
【００７０】
１    組み合わせ計量機本体
２    別体の個別計量機
３    通信手段
【図１】
2018072178.tif 000003